(57)【特許請求の範囲】
【請求項１】
略角箱状のタンクと、
このタンク内に収納され固定接触子と可動接触子との開離により通電を遮断する開閉部と、
前記タンクの外部に設けられた、前記可動接触子を動作させる動作エネルギーを蓄積・放出する動力機構および動力機構を前記開閉部に伝達する動力伝達機構を有する操作機構の主要部と、
前記開閉部の前記固定接触子側に接続された母線と、
を備え、前記タンクは隅部で内側に陥没した段部を有しており、この段部に、前記母線が前記開閉部と前記動力機構とで挟まれるように前記操作機構を取り付けた開閉装置。
【請求項２】
タンク内に絶縁性ガスを封入し開閉部を真空バルブとした請求項１に記載の開閉装置。
【請求項３】
タンクを真空タンクとしその内部を真空にした請求項１に記載の開閉装置。
【請求項４】
動力伝達機構はリンク機構である請求項１ないし３の何れかに記載の開閉装置。
【請求項５】
操作機構は段部と間隔をおいて固定する固定手段により固定された請求項１ないし４の何れかに記載の開閉装置。
【請求項６】
固定手段は、大径部とこの大径部に接続されネジ山が形成された小径部とからなるボルトと、前記ネジ山に螺着されたナットとから構成された請求項５に記載の開閉装置。
【発明の詳細な説明】
【０００１】
【発明の属する技術分野】
この発明は、例えば、電力用電路の開閉に使用する開閉装置に関するものである。
【０００２】
【従来の技術】
図８は例えば特開平５ー３００６１６号公報に示された従来の開閉装置を示す断面図である。図において、１は開閉装置の箱体、２は開閉装置の前面扉、３は箱体１内を区画する隔壁、４は遮断器、５は図８において紙の表裏方向に延在する３相の母線、６は箱体１に保持されて母線５を支持する碍子、７は外部の電源または負荷（図示せず）に接続されるケ−ブル、８は遮断器４の断路接触子、９はケ−ブル７と断路接触子８とを接続する接続導体、１０は母線５と断路接触子８とを接続する接続導体、１１は遮断器４の真空バルブ（開閉部）、１２は遮断器４の操作機構、１３は真空バルブ１１と操作機構１２とを連結するリンク機構である。
【０００３】
【発明が解決しようとする課題】
上記のような従来の開閉装置では、遮断器４の操作機構１２が真空バルブ１１の前面側に配置され、さらに遮断器４の上方及び後方に大きな絶縁空間をとって母線５及び接続導体９、１０を配置しているため、開閉装置の全体形状が大きくなるという問題点があった。
【０００４】
この発明は、上述のような問題点を解消することを課題とするものであって、従来の開閉装置に比べて大幅に小形化できる開閉装置を得るものである。
【０００６】
【課題を解決するための手段】
この発明に係る開閉装置は、略角箱状のタンクと、このタンク内に収納され固定接触子と可動接触子との開離により通電を遮断する開閉部と、前記タンクの外部に設けられた、前記可動接触子を動作させる動作エネルギーを蓄積・放出する動力機構および動力機構を前記開閉部に伝達する動力伝達機構を有する操作機構の主要部と、前記開閉部の前記固定接触子側に接続された母線とを備え、前記タンクは隅部で内側に陥没した段部を有しており、この段部に、前記母線が前記開閉部と前記動力機構とで挟まれるように前記操作機構を取り付けたものである。
【０００７】
また、この発明に係る開閉装置では、タンク内に絶縁性ガスを封入し開閉部を真空バルブとしたものである。
【０００８】
また、この発明に係る開閉装置では、タンクを真空タンクとしその内部を真空にしたものである。
【０００９】
また、この発明に係る開閉装置では、動力伝達機構はリンク機構である。
【００１０】
また、この発明に係る開閉装置では、操作機構は段部と間隔をおいて固定する固定手段により固定されたものである。
【００１１】
また、この発明に係る開閉装置では、固定手段は、大径部とこの大径部に接続されネジ山が形成された小径部とからなるボルトと、前記ネジ山に螺着されたナットとから構成されたものである。
【００１２】
【発明の実施の形態】
実施の形態１．
図１〜図３はこの発明の実施の形態１である開閉装置を示すもので、図１は開閉装置（投入）の側断面図、図２は開閉装置（投入）の正断面図、図３は開閉装置（開放）の側断面図である。
図において、１２は操作機構で動作エネルギ−を蓄積・放出する動力機構１３と、リンク機構の一端が前記動力機構１３に接続され動力機構１３から取り出された動作エネルギーを後述する真空バルブ（開閉部）に伝達する動力伝達機構１４とから構成されている。１５〜１７はそれぞれ固定の軸芯を中心に回動自在に支持された軸、１８は投入ばねで軸１５に設けられた腕１９を介して軸１５に回転力を付勢している。２０は軸１５に固着された駆動輪、２１はレバ−で軸１６に固着されるとともにリンク２２により駆動輪２０と変位自在に連結されている。２２は軸１６に固着されたレバ−、２３はレバ−２２を上方に付勢する引外しばね、、２５、２６はレバ−２２、２４間を連結するリンクである。
【００１３】
２７は内部に絶縁性ガスであるＳＦ６ガスを充填したタンクで、操作機構１２を配置する側に階段状の段部２７ａを設けている。２８は両端部がタンク２７の両壁に固着された支持部材、２９は支持部材２８に支持され固定の軸芯を中心に回動する軸、３０は両側に腕部を有し軸２９を中心にシ−ソ−動作をするレバ−、３１は真空バルブ（開閉部）で、図１において段部２７ａ横の狭い空間内で、かつ図１の紙面に対して奥行方向に３個の真空バルブ３１が所定の間隔をおいて配置されている。３２は図２に示すように横方向に延在し隣接する開閉装置間を電気的に接続する母線、３３は前記母線３２をエポキシ等の絶縁物で一体に固めて保持する母線支持部材、３４は前記母線３２から分岐して当該同相の前記真空バルブ３１の固定導体とを接続する分岐接続線、３５は一端が真空バルブ３１の可動導体に接続されたフレキシブル（ｆｌｅｘｉｂｌｅ）導体、３６は一端がフレキシブル導体３５に接続され他端がタンク２７外に導出された接続導体、３７はタンク２７外に敷設されるケ−ブル（図示せず）に接続するためのケ−ブル接続部である。３８は一端がレバー２４に接続されタンク２７を摺動自在に貫通する貫通棒であり、タンク２７の貫通部には図示されていないが、ガスシ−ルが設けられている。３９は絶縁材で形成された絶縁ロッドであり、レバ−３０の一端と貫通棒３８とを連結するとともに、主回路と大地電位であるタンク２７との間を電気的に絶縁している。またレバ−３０の他端は真空バルブ３１の可動導体の一端に連結されている。
【００１４】
タンク２７の段部２７ａには、動力伝達機構１４の主要部、および出力レバー２４、貫通棒３８が配置されている。
このように、タンク２７の上部に操作機構１２の主要部を設けたため、開閉装置の奥行寸法を小さくできる。また、タンク２７の上部の前面扉側の隅部で内部に陥没した段部２７ａが形成されており、この段部２７ａ上に動力伝達機構１４の主要部および出力レバー２４、貫通棒３８を配置したため、動力伝達機構１４の主要部部分の高さ分だけ開閉装置の高さを低く構成することができる。
また、母線３２が真空容器３１と動力機構１３との間に配設され、開閉装置を小形化することができる。
【００１５】
実施の形態２．
図４はこの発明の実施の形態２の開閉装置の側断面図であり、以下の説明では、実施の形態１と同一または相当部分は同一符号を付して説明する。
この実施の形態では、タンク２７を真空タンクとし、貫通棒３８をベロ−ズ４０を介してタンク２７を貫通しており、実施の形態１の真空バルブ３１を使用する必要はなく、固定接触子３１ａ、可動接触子３１ｂがタンク２７内において露出した状態で配設されている。
また、母線３２の部分を含めて同一のタンク２７中に収納されており、絶縁性が向上するため、充電部間及び対地間の絶縁距離を小さくすることができ、開閉装置を更に小さく構成することができる。
【００１６】
実施の形態３．
図５ないし図７はこの発明の実施の形態３の開閉装置を示すもので、図５は開閉装置の側断面図、図６は開閉装置の正断面図、図７はボルト５０が垂設されたタンク２７の側面図である。
この実施の形態では、タンク２７の段部２７ａに固定手段によりユニット化された操作機構１２が間隔５２をおいて固定されている。固定手段は、大径部５３とネジ山が形成された小径部５４とからなるボルト５０と、小径部５４に螺着されたナット５１とから構成されている。ボルト５０はエポキシ樹脂からなるタンク２７に接着剤で接着されている。また、タンク２７の上方には真空バルブ３１の開閉操作を制御する制御部が設けられている。
この実施の形態では、間隔５２を利用して操作機構１２をタンク２７の段部２７ａに固定することができ、円滑に固定作業を行うことができる。また、出力レバー２４を操作機構１２の軸１７に固定し、また貫通棒３８に接続する作業も円滑に行うことができる。
【００１７】
なお、上記の各実施の形態では、操作機構１２をタンク２７の上方に設けた場合について述べたが、相互の位置関係は上下に限定されるものではなく、双方の位置が上記と逆であっても、また横方向であっても上記の実施の形態１、２で説明したものと同等の効果を奏することはいうまでもない。
【００１９】
【発明の効果】
以上説明したように、この発明に係る開閉装置によれば、略角箱状のタンクと、略角箱状のタンクと、このタンク内に収納され固定接触子と可動接触子との開離により通電を遮断する開閉部と、前記タンクの外部に設けられた、前記可動接触子を動作させる動作エネルギーを蓄積・放出する動力機構および動力機構を前記開閉部に伝達する動力伝達機構を有する操作機構の主要部と、前記開閉部の前記固定接触子側に接続された母線とを備え、前記タンクは隅部で内側に陥没した段部を有しており、この段部に、前記母線が前記開閉部と前記動力機構とで挟まれるように前記操作機構を取り付けたもので、開閉部に隣接して母線が配設され、開閉装置を小形化することができる。
【００２０】
また、この発明に係る開閉装置によれば、タンク内に絶縁性ガスを封入し開閉部を真空バルブとしたので、絶縁の所要空間距離を小さくすることができ、開閉装置を小形化することができる。
【００２１】
また、この発明に係る開閉装置によれば、タンクを真空タンクとしその内部を真空にしたので、絶縁の所要空間距離を絶縁性ガスと比べて小さくすることができ、開閉装置をさらに小形化することができる。また、開閉部としてコストの高い真空バルブを用いなくてよい。
【００２２】
また、この発明に係る開閉装置によれば、動力伝達機構はリンク機構であるので、強い力を伝達できるとともに動作ストロークの設計変更を容易に行うことができる。
【００２３】
また、この発明に係る開閉装置によれば、操作機構は段部と間隔をおいて固定する固定手段により固定されたので、間隔を利用して操作機構をタンクの段部に簡単に固定することができる。また、操作機構と例えば動力を開閉部に伝達する出力レバーとの接続作業も円滑に行うことができる。
【００２４】
また、この発明に係る開閉装置によれば、固定手段は、大径部とこの大径部に接続されネジ山が形成された小径部とからなるボルトと、前記ネジ山に螺着されたナットとから構成されたので、簡単な構成で、かつ確実にタンクに操作機構を固定することができる。
【図面の簡単な説明】
【図１】  この発明の実施の形態１を示す開閉装置（投入）の側断面図である。
【図２】  この発明の実施の形態１を示す開閉装置（投入）の正面断面図である。
【図３】  この発明の実施の形態１を示す開閉装置（開放）の側断面図である。
【図４】  この発明の実施の形態２を示す開閉装置（投入）の側断面図である。
【図５】  この発明の実施の形態３を示す開閉装置（投入）の側断面図である。
【図６】  この発明の実施の形態３を示す開閉装置（開放）の正断面図である。
【図７】  図５のタンクにボルトが取り付けられたときの側面図である。
【図８】  従来の開閉装置を示す側断面図である。
【符号の説明】
１２  操作機構、１３  動力機構、１４  動力伝達機構、２７  タンク、２７ａ  段部、３１  真空バルブ（開閉部）、３２  母線、５０  ボルト、５１  ナット、５２  間隔、５３  大径部、５４  小径部。
【図１】
0004202468.tif 000002
【図２】
0004202468.tif 000003
【図３】
0004202468.tif 000004
【図４】
0004202468.tif 000005
【図５】
0004202468.tif 000006
【図６】
0004202468.tif 000007
【図７】
0004202468.tif 000008
【図８】
0004202468.tif 000009